(57)【要約】      （修正有）【課題】人に負担を強いること無く、また煩わしさを感じさせること無く伝言を報知することができる冷蔵庫を提供する。【解決手段】冷蔵庫１は、人を検知する人検知手段（１６，１７，１８ａ，１８ｂ，２１，３５ａ，３５ｂ，３６，３７，３８，３９）と、伝言の有無を報知する報知手段２０，２３を備え、人検知手段により人が検知されると、伝言の有無を報知する。報知手段が報知する伝言は、冷蔵庫の外部に記憶されていることを特徴とする。【選択図】図２
2014126328.tif 000002
【特許請求の範囲】
【請求項１】
人を検知する人検知手段と、
伝言の有無を報知する報知手段と、を備え、
前記報知手段は、前記人検知手段により人が検知されると、伝言の有無を報知することを特徴とする冷蔵庫。
【請求項２】
前記報知手段が報知する伝言は、冷蔵庫の外部に記憶されていることを特徴とする請求項１記載の冷蔵庫。
【請求項３】
前記報知手段は、伝言を表示する表示出力手段で構成されていることを特徴とする請求項１または２記載の冷蔵庫。
【請求項４】
前記報知手段は、伝言を音声にて出力する音声出力手段で構成されていることを特徴とする請求項１から３のいずれか一項記載の冷蔵庫。
【請求項５】
前記人検知手段は、冷蔵庫に接近する人を非接触で検知するものであり、
前記報知手段は、冷蔵庫に人が接近したことが検知されると、伝言の有無を報知することを特徴とする請求項１から４のいずれか一項記載の冷蔵庫。
【請求項６】
前記人検知手段は、冷蔵庫に対する操作が行われたことを検知するものであり、
前記報知手段は、冷蔵庫に対する操作が行われたことが検知されると、伝言の有無を報知することを特徴とする請求項１から５のいずれか一項記載の冷蔵庫。
【請求項７】
前記人検知手段は、冷蔵庫の扉が開放されたことを検知するものであり、
前記報知手段は、冷蔵庫の扉が開放されたことが検知されると、伝言の有無を報知することを特徴とする請求項１から６のいずれか一項記載の冷蔵庫。
【請求項８】
前記人検知手段は、冷蔵庫の扉が開放された後に閉鎖されたことを検知するものであり、
前記報知手段は、冷蔵庫の扉が開放された後に閉鎖されたことが検知されると、伝言の有無を報知することを特徴とする請求項１から７のいずれか一項記載の冷蔵庫。
【請求項９】
伝言は、対象となる人を特定可能な情報である付帯情報と紐付けて記憶されており、
前記報知手段は、前記付帯情報に基づいて、伝言の対象となる人に伝言の有無を報知することを特徴とする請求項１から８のいずれか一項記載の冷蔵庫。
【請求項１０】
伝言は、内容を特定可能な情報である付帯情報と紐付けて記憶されており、
前記報知手段は、前記付帯情報に基づいて、特定した伝言の内容に応じて伝言の有無を報知するタイミングを変更することを特徴とする請求項１から９のいずれか一項記載の冷蔵庫。
【請求項１１】
前記人検知手段は、冷蔵庫に接近する人を検知するもの、または、冷蔵庫に対する操作が行われたことを検知するものであり、
前記報知手段は、伝言の内容が食材に関するものであることを特定したとき、冷蔵庫の扉が開放される前のタイミングで伝言の有無を報知することを特徴とする請求項１０記載の冷蔵庫。
【請求項１２】
外部の装置との間で双方向通信が可能な通信手段をさらに備え、
伝言は、内容を特定可能な情報である付帯情報と紐付けて記憶されており、
前記報知手段は、前記付帯情報に基づいて伝言の内容を特定し、特定した内容が返信を求めるものであるとき、前記通信手段による通信を促すことを特徴とする請求項１から１１のいずれか一項記載の冷蔵庫。
【請求項１３】
前記報知手段は、伝言が有る場合には伝言の有無を報知する報知動作を行う一方、伝言が無い場合には報知動作そのものを行わないことを特徴とする請求項１から１２のいずれか一項記載の冷蔵庫。
【発明の詳細な説明】
【技術分野】
【０００１】
本発明の実施形態は、冷蔵庫に関する。
【背景技術】
【０００２】
従来、冷蔵庫に音声の記録・再生機能を持たせて伝言を報知するものが提案されている（例えば、特許文献１参照）。
しかしながら、人の操作に基づいて伝言を確認する構成では、伝言が無かったとしても確認操作を行うことが必要となり、負担を強いることになる上、確認操作を忘れた場合には伝言そのものが伝わらないおそれもある。かといって、人を検知したときに伝言を再生するような構成では、その伝言が他の人向けであった場合に煩わしさを感じることになる。
【先行技術文献】
【特許文献】
【０００３】
【特許文献１】特開２００２−３１４６８号公報
【発明の概要】
【発明が解決しようとする課題】
【０００４】
本発明が解決しようとする課題は、人に負担を強いること無く、また煩わしさを感じさせること無く伝言を再生することができる冷蔵庫を提供することにある。
【課題を解決するための手段】
【０００５】
実施形態による冷蔵庫は、人を検知する人検知手段と、伝言の有無を報知する報知手段と、を備える。
【図面の簡単な説明】
【０００６】
【図１】第１実施形態の冷蔵庫を採用した家庭内伝言システムの構成の概略を示す図
【図２】第１実施形態の冷蔵庫の外観を模式的に示す図
【図３】第１実施形態の冷蔵庫の構造を模式的に示す図
【図４】第１実施形態の冷蔵庫の電気的構成を模式的に示す図
【図５】第１実施形態の冷蔵庫による報知処理の流れを示す図
【図６】第１実施形態の冷蔵庫による報知画面の一例を示す図その１
【図７】第１実施形態における伝言記憶画面の一例を示す図
【図８】第１実施形態の冷蔵庫による報知画面の一例を示す図その２
【図９】第２実施形態の冷蔵庫によるタイミング設定処理の流れを示す図その１
【図１０】第２実施形態の冷蔵庫によるタイミング設定処理の流れを示す図その２
【図１１】その他の実施形態の冷蔵庫による報知手段の構成を模式的に示す図
【発明を実施するための形態】
【０００７】
以下、複数の実施形態について、図面を参照しながら説明する。なお、複数の実施形態において実質的に共通する部位には同一の符号を付し、その詳細な説明は省略する。
（第１実施形態）
第１実施形態について、図１から図８を参照しながら説明する。
【０００８】
図１に示すように、本実施形態の冷蔵庫１を採用した家庭内伝言システム１００では、冷蔵庫１は、無線アクセスポイント１０１を介して外部のネットワーク１０２に通信可能に接続されている。この冷蔵庫１は、ネットワーク１０２に接続されている端末装置１０３やサーバ１０４（外部装置に相当する）との間で各種の情報をやり取りする。本実施形態では、ネットワーク１０２としていわゆるインターネットを想定している。なお、端末装置１０３は、住宅１０５の外部だけで無く、住宅１０５内であっても冷蔵庫１と通信可能である。また、端末装置１０３としては、住宅１０５内に設置されているパソコン等であってもよい。以下、冷蔵庫１と通信可能な装置を、便宜的に外部の機器と称する。これら冷蔵庫１と外部の機器との間でやり取りされる情報には、本実施形態で対象とする伝言が含まれている。また、本実施形態では、端末装置１０３としていわゆるスマートフォンやタブレット型パソコン等を想定している。
【０００９】
冷蔵庫１は、図２および図３に示すように、本体２の内部に、上部から順に、食材を貯蔵するための貯蔵室である冷蔵室３、野菜室４、製氷室５と上部冷凍室６、および下部冷凍室７が設けられている。冷蔵室３および野菜室４と、製氷室５および上部冷凍室６との間は、断熱仕切壁により仕切られている。冷蔵室３は、図２に示すように、いわゆる観音式の左扉３ａおよび右扉３ｂによって開閉され、野菜室４、製氷室５、上部冷凍室６および下部冷凍室７は、引き出し式の扉４ａ、扉５ａ、扉６ａおよび扉７ａによってそれぞれ開閉されるようになっている。また、各扉には、その開閉状態を検知するセンサ（図４参照。冷蔵室左扉センサ３５ａ、冷蔵室右扉センサ３５ｂ、野菜室扉センサ３６、製氷室扉センサ３７、上部冷凍室扉センサ３８、下部冷凍室扉センサ３９）が設けられている。なお、上記した貯蔵室の構成は一例であり、各貯蔵室の配置順が異なっていたり、例えば上部冷凍室６が冷蔵と冷凍とを切り替え可能な切替室であるような構成でもよい。この冷蔵庫１は、例えばキッチンなど、人が生活する際に必ず利用する場所であるいわゆる生活動線内に設置されている。
【００１０】
図３に示すように、冷蔵室３の後方には、冷蔵室３や野菜室４用の冷蔵用冷却器８と、この冷蔵用冷却器８により冷却された空気を循環させる冷蔵用ファン９とが設けられている。また、製氷室５の後方には、製氷室５、上部冷凍室６および下部冷凍室７用の冷凍用冷却器１０、およびこの冷凍用冷却器１０により冷却された空気を循環させる冷凍用ファン１１が設けられている。これら冷蔵用冷却器８および冷凍用冷却器１０は、下部冷凍室７の後方の機械室１２に配置されているコンプレッサ１３により駆動される。このコンプレッサ１３は、冷蔵用冷却器８および冷凍用冷却器１０とともに、周知の冷凍サイクルを構成している。この冷凍サイクルは、冷蔵室温度センサ１４および冷凍室温度センサ１５により検知された庫内温度に応じて、主制御部３０（図４参照）によりその運転状態が制御される。
【００１１】
図２に示すように、冷蔵室３の左扉３ａには、表示器およびスイッチ類を有する操作パネル１６（操作入力手段を構成する）が設けられている。操作パネル１６の表示器は、例えば液晶表示器や有機ＥＬ表示器などで構成されており、冷蔵庫１に関する各種の情報を文字やグラフなどを用いて表示する。また、操作パネル１６のスイッチ類は、機械式のスイッチやタッチパネル式のスイッチ等の複数のスイッチで構成されており、人によって冷蔵庫１に対する設定等の各種の操作が入力される。
【００１２】
冷蔵室３の右扉３ｂには、人感センサ１７（人検知手段を構成する）が設けられている。人感センサ１７は、例えば赤外線や可視光、超音波などを検出する検出器（あるいは、それらの検出器を組み合わせたもの）を有しており、冷蔵庫１の前方に位置する人を非接触で検知する。この場合、人感センサ１７は、例えば一定時間連続して検知した場合（つまり、人を複数回検知した場合）に最終的に人を検知したと判定する構成としてもよいし、距離を計測可能とし、冷蔵庫１に接近していると判断される場合に人を検知する構成としてもよい。
【００１３】
冷蔵室３の各扉には、それぞれ左ドアタッチセンサ１８ａ（人検知手段を構成する）および右ドアタッチセンサ１８ｂ（人検知手段を構成する）が設けられており、それぞれのタッチセンサを人がタッチすると、本体２の上部に設けられている開扉装置１９（図２参照）によて、対応する扉が開扉される。
【００１４】
また、冷蔵室３の右扉３ｂには、表示端末２０（報知手段、表示出力手段、通信手段を構成する）、撮像カメラ２１（人検知手段を構成する）、マイク２２（通信手段を構成する）、およびスピーカ２３（報知手段、音声出力手段を構成する）が設けられている。表示端末２０は、図３に示すように、その表面が、冷蔵室３の右扉３ｂと同一面あるいは僅かに右扉３ｂ内部に位置するように設けられている。なお、表示端末２０の構成の詳細については、後述する図４にて説明する。
【００１５】
撮像カメラ２１は、例えばＣＣＤやＣＭＯＳなどの撮像素子を有しており、冷蔵庫１の庫外を撮像する。この撮像カメラ２１は、静止画および動画の双方を撮像可能に構成されている。なお、撮像素子は、カラー画像あるいはモノクロ画像のいずれもよい。以下、静止画および動画をまとめて画像と称する。また、撮像カメラ２１は、表示端末２０の上側且つ中央付近の位置、すなわち、表示端末２０を見ている対象者をほぼ正面から撮像可能な位置に設けられている。マイク２２は、庫外の音声、例えば人の声を取得する。スピーカ２３は、表示端末２０側からの音声を出力する。
【００１６】
このような構成の冷蔵庫１は、図４に示すように、主制御部３０により制御されている。主制御部３０は、ＣＰＵ３１、ＲＯＭ３２およびＲＡＭ３３などを有するコンピュータにより構成されており、例えばＲＯＭ３２などに記憶されているコンピュータプログラムにしたがって冷蔵庫１の全体を制御する。また、主制御部３０は、計時手段としてのリアルタイムクロック（以下、ＲＴＣ３４と称する）を有しており、時刻情報を取得可能となっている。なお、取得可能な時刻情報には、時間、日付、曜日などが含まれている。より具体的には、主制御部３０は、周囲温度や冷蔵室温度センサ１４あるいは冷凍室温度センサ１５により検知された貯蔵室の温度などに応じて、冷凍サイクルの動作（各冷却器および各ファンの動作）を制御する。また、主制御部３０は、人感センサ１７により人を検知していない場合や、ＲＴＣ３４から取得した時刻が深夜である場合など、冷蔵庫１を使用する可能性が低いと判定できるような場合に省エネ運転とする制御などを行っている。
【００１７】
また、主制御部３０は、冷蔵室左扉センサ３５ａ、冷蔵室右扉センサ３５ｂ、野菜室扉センサ３６、製氷室扉センサ３７、上部冷凍室扉センサ３８および下部冷凍室扉センサ３９に接続されており、各扉の開閉状態を検知する。これら各センサは、いずれも人検知手段を構成する。具体的には、主制御部３０は、人感センサ１７が人を検知した場合、操作パネル１６が操作された場合、冷蔵室３のタッチセンサが操作された場合、いずれかの扉が解放された場合、および、いずれかの扉が開放された後に閉鎖された場合に、人を検知したと判定する。人を検知した旨を示す情報は、後述するように表示端末２０側に送信される。
【００１８】
冷蔵庫１の主制御部３０は、表示端末２０と通信可能に接続されている。表示端末２０は、制御部４０により制御されている。この制御部４０は、ＣＰＵ４１、ＲＯＭ４２、ＲＡＭ４３およびＲＴＣ４４などを有するコンピュータにより構成されており、例えばＲＯＭ４２などに記憶されているコンピュータプログラムにしたがって表示端末２０の全体を制御する。また、制御部４０は、上記した撮像カメラ２１、マイク２２およびスピーカ２３、ならびに、表示部４５、タッチパネル４６および通信部４７に接続している。
【００１９】
表示部４５は、液晶表示器や有機ＥＬ表示器などで構成されており、後述する伝言を含めた各種の情報を表示する。タッチパネル４６は、表示部４５に対応して設けられており、対象者の操作を受け付ける。通信部４７は、無線アクセスポイント１０１との間で無線通信方式にて通信を行い、ネットワーク１０２を介して、端末装置１０３との間で伝言を含む各種の情報の送受信を可能としている。
【００２０】
このような構成の冷蔵庫１により報知される伝言は、冷蔵庫１ではなく、外部のサーバ１０４に記憶されている。この伝言には、後述するように、付帯情報として、伝言の対象となる人を特定可能な情報と、伝言の内容を特定可能な情報とが少なくとも紐付けされて記憶されている。ここで、伝言の内容を特定可能な情報とは、伝言そのものに加えて、伝言の分類（カテゴリ）や、伝言に対する返信を必要とするか否か、伝言の保存形式などが含まれる。
【００２１】
具体的には、本実施形態では、後述する図７に示すように、伝言の対象となる人（図７に示す「宛先」）を特定可能な情報として、例えば住宅１０５の住人が４人であり、その両親、息子および娘を想定し、それぞれを示す「お父さん」、「お母さん」、「お兄ちゃん」、「お姉ちゃん」が設定されている。また、伝言の内容を特定可能な情報として、伝言の分類（図７に示す「内容」）を示す「連絡」、「要返信」、「食材」、「その他」が設定されている。また、伝言の保存形式として、「音声」、「映像」、「文字」が設定されている。なお、各項目の詳細については、後述する。
【００２２】
次に、冷蔵庫１の作用について説明する。
冷蔵庫１は、食品を貯蔵する貯蔵室を有していることから、調理を行うためにほぼ毎日利用するものであり、また、日常生活でほぼ必ず立ち寄って利用する場所（いわゆる生活動線）に設置されていることが多い。そのため、冷蔵庫１は、伝言を報知するための家電製品として好適である。
冷蔵庫１は、図５に示す報知処理を実行しており、報知タイミングになったか否かを判定している（Ａ１）。ここで、報知タイミングとは、「人を検知したとき」とほぼ同意義であるが、本実施形態では、「人を検知したとき」として、
【００２３】
・人感センサ１７にて人が接近していることを検知したとき
・操作パネル１６が操作されたとき。
・冷蔵室３の左ドアタッチセンサ１８ａまたは右ドアタッチセンサ１８ｂが操作されたとき。
・いずれかの貯蔵室の扉が開放されたとき。
・いずれかの貯蔵室の扉が開放された後で、その扉が閉鎖されたとき。
が想定される。そのため、これらを総称して「報知タイミング」と称している。なお、本実施形態では、いずれを報知タイミングとするかは予め設定されているものとしているが、後述する第２実施形態のように付帯情報に基づいて報知タイミングを個別に設定・変更してもよい。
【００２４】
冷蔵庫１は、予め設定されている報知タイミングになったと判定すると（Ａ１：ＹＥＳ）、伝言の有無をサーバ１０４に確認する（Ａ２）。続いて、冷蔵庫１は、伝言がない場合には（Ａ３：ＮＯ）、ステップＡ１に移行する。一方、冷蔵庫１は、伝言がある場合には（Ａ３：ＹＥＳ）、伝言の有無を報知する（Ａ４）。つまり、冷蔵庫１は、まず伝言が記憶されているかを確認した後、いきなり伝言を再生するのでは無く、伝言の有無をまず報知して、伝言を確認するように促している。これにより、例えば他の人宛の伝言が再生された場合に感じる煩わしさを低減している。
【００２５】
このとき、冷蔵庫１は、表示端末２０の表示部４５に、図６に一例として示す報知画面を表示することで、伝言の有無を報知する報知動作を行っている。この表示部４５には、『伝言があります』等のメッセージとともに、宛先アイコンＭ１〜Ｍ４（「お父さん」、「お母さん」「お兄ちゃん」、「お姉ちゃん」）、記憶されている伝言の件数を各宛先毎に表示する件数表示エリアＭ５〜Ｍ８、記憶されている伝言を再生する再生操作を入力するための再生ボタンＭ９、および再生された伝言に関する情報を表示する情報表示エリアＭ１０が設けられている。
【００２６】
図６の場合、「お父さん」に１件、「お姉ちゃん」に２件の伝言があることを示している。また、伝言が無い「お母さん」と「お兄ちゃん」のアイコンは、グレーアウトされることで、伝言が無いことが報知されている。つまり、冷蔵庫１は、伝言の対象となる人を特定し、その人に対する伝言がある旨を報知している。なお、図６には、グレーアウトを模式的にハッチングにて示している。
【００２７】
このように伝言の有無が報知されると、人は、表示部４５を確認してまず自分のアイコンをタッチ操作することで再生対象の伝言を選択し、続いて、再生ボタンＭ９をタッチ操作することで（再生操作を行うことで）、記憶されている伝言を再生することになる。なお、伝言が１件だけの場合や、宛先として１人だけが設定されている場合等には、そのまま再生ボタンＭ９をタッチ操作すれば伝言を再生することができる。
【００２８】
そのため、冷蔵庫１は、再生操作が行われたか（Ａ５）、および、所定期間が過ぎたか（Ａ８）を判定しており、再生操作が行われた場合には（Ａ５：ＹＥＳ）、サーバ１０４から伝言を取得し（Ａ６）、取得した伝言を再生する（Ａ７）。このとき、伝言が音声であればスピーカ２３から音声にて伝言が再生され、伝言が画像（静止画、動画等）であれば表示部４５に映像が再生される。また、文章（いわゆるテキスト）であれば、情報表示エリアＭ１０にテキストが表示される。なお、情報表示エリアＭ１０には、付帯情報である「宛先」や「内容」等も併せて表示され、また、差出人を示す「Ｆｒｏｍ」（後述する図１１参照）等も表示される。
【００２９】
この場合、伝言の有無が報知されると、人は、画面を確認し、自分宛の伝言でなければ再生操作を行わないと考えられる。そのため、冷蔵庫１は、再生操作が行われないまま所定期間が過ぎた場合には（Ａ８：ＹＥＳ）、処理を終了する。なお、所定期間は、例えば３０秒等のように、任意に設定することができる。
このように、冷蔵庫１は、伝言の有無の報知、および伝言の再生を行っている。
ここで、冷蔵庫１にて再生する伝言を記憶させる手順について説明する。以下では、冷蔵庫１を用いて伝言を記憶させる例を説明するが、伝言は、端末装置１０３等を用いて記憶させることも勿論できる。
【００３０】
冷蔵庫１では、伝言を記憶するとき、図７に一例として示すように、表示部４５に伝言記憶画面を表示する。この伝言記憶画面には、『伝言を残します』といったメッセージとともに、宛先アイコンＭ１〜Ｍ４、内容アイコンＭ１１〜Ｍ１４（「連絡」、「要返信」、「食材」、「その他」）、保存形式アイコンＭ１５〜Ｍ１７（「音声」、「映像」、「文字」）が表示されている。
【００３１】
伝言を残す人は、伝言の対象となる人を選択する。具体的には、宛先アイコンＭ１〜Ｍ４のいずれかをタッチ操作することで、対象となる人を選択する。なお、２人以上を選択する場合には、それぞれのアイコンをタッチ操作すればよい。続いて、内容アイコンＭ１１〜Ｍ１４のいずれかをタッチ操作することで、伝言の内容（分類）を選択する。具体的には、「連絡」は、いわゆる音声メモであり、ちょっとした伝言を残す場合に選択される。
【００３２】
「要返信」は、伝言を聞いた後で回答などを求める伝言を残す場合に選択される。この「要返信」が選択された場合、伝言の有無の報知は、図８に一例として示すような態様となる。図８は、伝言の有無を報知する報知画面であり、「お父さん」に伝言が１件あることが示されているとともに、電話アイコンＭ１８が表示されており、伝言の内容が「要返信」であることが示されている。これにより、お父さんは、この画面を見るだけで、何らかの返信を求められていることを把握できる。換言すると、冷蔵庫１は、電話アイコンＭ１８を表示することで、通信を促している。なお、図８では伝言が１件であるので、その付帯情報が情報表示エリアＭ１０に表示されている。
【００３３】
この電話アイコンＭ１８は、電話機能を実行するための操作ボタンとしても機能する。具体的には、電話アイコンＭ１８がタッチ操作されると、撮像カメラ２１、マイク２２、スピーカ２３が駆動され、差出人である「おばあさん」との間で、いわゆるテレビ電話による通話が可能となる。なお、相手先が電話機能のみの場合には、マイク２２とスピーカ２３とが駆動され、一般的な音声通話となる。
【００３４】
「食材」は、上記した夜食等の食事や冷蔵庫１に保存されている食材等に関する伝言を残す場合に選択される。つまり、特許請求の範囲に記載した「食材に関するもの」とは、野菜や肉等の食材そのものだけでなく、食事に関する情報をも含んでいる。「その他」は、他の分類の伝言を残す場合に選択される。なお、これらの内容アイコンＭ１１〜Ｍ１４に設定される分類は、予めメーカにより設定されていてもよいし、使用者が任意に設定可能としてもよい。
【００３５】
そして、保存形式アイコンＭ１５〜Ｍ１７のいずれかをタッチ操作することで、伝言の保存形式を選択する。この場合、「音声」が選択されれば、マイク２２から入力される音声を伝言として記憶する。「映像」が選択されれば、撮像カメラ２１から入力された画像と、マイク２２から入力される音声とが伝言として記憶する。「文字」が選択されれば、例えばソフトウェアキーボードや手書きパッド等が表示部４５に表示され、入力された文章（テキスト）が伝言として記憶される。
【００３６】
このとき、記憶される伝言は、冷蔵庫１ではなく、サーバ１０４に記憶される。このため、冷蔵庫１には大容量の記憶手段を設ける必要は無い。また、伝言だけでなく、宛先や内容、保存形式なども付帯情報として伝言に紐付けして記憶される。なお、例えばスマートフォン等の端末装置１０３のように表示部を備えている機器であれば、同様の手順にて伝言を記憶させることができる。また、カメラ類を備えていない端末装置であれば、予め保存形式を音声だけにすることもできる。すなわち、伝言の保存形式は、伝言を残すのに用いた機器に応じて選択すればよい。
このように、冷蔵庫１は、伝言の有無、さらには、伝言の再生を行っている。
【００３７】
以上説明した本実施形態の冷蔵庫１によれば次のような効果を奏する。
冷蔵庫１は、人を検知する人検知手段と、伝言の有無を報知する報知手段とを備えており、人検知手段により人が検知されると、伝言の有無を報知する。つまり、冷蔵庫１では、人の操作によらず、伝言の有無を報知する。このため、人を検知しない場合には伝言の有無を報知しないので、不要な報知が行われることが無くなるとともに、人を検知しない場合には冷蔵庫１をいわゆる待機状態とすることができるので、省電力化を図ることができる。
【００３８】
また、人が伝言の有無を確認する操作を行わなくても、人を検知したタイミングで伝言の有無を報知するので、負担を強いることがない。また、伝言を再生する前に、伝言の有無を報知するので、他の人向けの伝言が誤って再生されることが無く、煩わしさを感じさせることがない。
さらに、一般的な家庭では冷蔵庫１を生活動線に設置していることが多いので、伝言を確認するといった意識を持っていなくても、日常生活の中で伝言の有無を確認することができ、利便性が向上する。
【００３９】
冷蔵庫１では、伝言は、サーバ１０４つまり冷蔵庫１の外部に記憶されている。伝言の保存形式が映像の場合、そのデータ量が多くなることが想定されるが、伝言を冷蔵庫１の外部に記憶させることで、冷蔵庫１に大容量の記憶手段を設ける必要が無い。したがって、コストの上昇を抑制することができる。
報知手段を表示部４５のような表示出力手段で構成しているので、伝言を音声だけで無く映像でも残すことができる。したがって、より密なコミュニケーションをとることができる。勿論、報知手段としてスピーカ２３のような音声出力手段でも構成しているので、音声メモを残すことができる。
【００４０】
人感センサ１７により冷蔵庫１に接近する人を非接触で検知しているので、人が接近したとき、すなわち、冷蔵庫１の扉を開放する前に、伝言の有無を報知することができる。このため、冷蔵庫１の扉を開ける必要が無いにも関わらず無駄に扉を開けてしまうことを防止できる。
報知タイミングとして冷蔵庫１に対する操作が行われた時点を設定可能であるので、人が確実に冷蔵庫１の前に居るときに伝言の有無を報知することができ、伝言の有無の報知そのものが伝わらないことを防止できる。
【００４１】
報知タイミングとして冷蔵庫１の扉が開放された時点を設定可能であるので、扉を開けて保存されている食材を選択する際にアドバイスを行うといったことができる。
報知タイミングとして冷蔵庫１の扉が開放された後に閉鎖され時点を設定可能であるので、扉を開けた際に伝言が報知されて扉が開けっ放ししたまま伝言を確認するといった状況を回避することができる。
【００４２】
伝言は対象となる人およびその内容を特定可能な情報である付帯情報と紐付けて記憶されているので、伝言の対象となる人が誰であるのかを特定できる。そして、図６に示したように対象となる人に伝言がある旨を報知することで、確実に伝言を対象となる人が再生するようになるとともに、不必要に他人宛の伝言を再生することなどを防止できる。
伝言の内容が食材に関するものであることを特定したとき、冷蔵庫１の扉が開放される前のタイミングで伝言の有無を報知するので、扉の不要な開け閉めが防止される。これにより、冷蔵庫１の庫内温度が変化することが防止され、省エネにもつながる。
【００４３】
伝言の内容が返信を求めるものである場合、電話アイコンＭ１８を表示することでテレビ電話等による通信を促すことができる。つまり、複雑な操作をしなくても、電話アイコンＭ１８を操作するだけで、伝言を残した相手との通話が可能となる。これにより、冷蔵庫１を例えば高齢者が操作する場合であっても、容易に通話することができる。また、テレビ電話により通話を行うことができるため、より直接的且つ密接なコミュニケーションを行うことができる。
【００４４】
冷蔵庫１は、図５の報知処理に示したように伝言が有る場合には伝言の有無を報知する報知動作を行う一方、伝言が無い場合には報知動作そのものを行わないので、不要な電力を消費することを抑制できる。
【００４５】
（第２実施形態）
第２実施形態について、図９および図１０を参照しながら説明する。第２実施形態では、付帯情報に応じて報知タイミングを設定する点において、第１実施形態と異なっている。なお、冷蔵庫の構成は第１実施形態と共通するので、詳細な説明は省略する。
【００４６】
本実施形態の冷蔵庫１では、伝言の有無を報知する報知タイミングは、付帯情報に基づいて、具体的には、例えば伝言の内容や宛先に応じて設定される。
伝言の分類が「食材」である場合、報知タイミングは、人感センサ１７にて人が接近していることを検知したとき、すなわち、冷蔵庫１の扉を開ける前ことが望ましい場合がある。これは、例えばお父さん用の夜食がレンジや戸棚といった冷蔵庫１の外に用意されている場合などでは、冷蔵庫１を開けなくても、伝言を聞けば夜食の在処が分かるので、冷蔵庫１を無駄に開け閉めする必要が無い。しかし、外部のサーバ１０４に伝言を記憶する構成の場合、本来は『開扉前』に伝えたい伝言が、サーバ１０４との通信に時間が掛かったせいで『開扉前』に伝えられないことが想定される。
【００４７】
また、伝言の分類が「連絡」である場合には、報知タイミングは、いずれかの貯蔵室の扉が開放された後でその扉が閉鎖されたときが望ましい場合がある。これは、冷蔵庫１の扉が閉鎖された後であれば、冷蔵庫１に対する操作が終了した（食材等を取り出した後）であるため、伝言を確認する時間が取れ、扉を開放したまま伝言を確認するといったことを防止することができるからである。
【００４８】
つまり、伝言の内容や宛先によっては、どのタイミングで報知するのかを変更したい場合がある。
そこで、本実施形態の冷蔵庫１は、図９に示すように伝言の内容に応じて報知タイミングを設定したり、図１０に示すように伝言の対象となる人に応じて報知タイミングを設定したりする。以下、それぞれについて説明する。
【００４９】
冷蔵庫１は、図９に示すように、まず伝言の有無をサーバ１０４に確認する（Ｂ１）。このとき、冷蔵庫１は、例えば１時間毎や予め定められた時間など、所定の期間ごとに繰り返しタイミング設定処理を実行している。つまり、冷蔵庫１は、定期的にタイミング設定処理を実行している。そして、伝言が存在する場合には、その内容が食材に関するものであるかを判定し（Ｂ２）、食材である場合には（Ｂ２：ＹＥＳ）、報知タイミングを『開扉前』、すなわち、冷蔵庫１の扉が解放される前に設定する。なお、伝言の内容が食材でない場合には（Ｂ２：ＮＯ）、タイミングを変更すること無く処理を終了する。
【００５０】
このとき、冷蔵庫１は、伝言の内容が食材であること、および報知タイミングが『開扉前』であることを、主制御部３０や制御部４０のＲＡＭなどに記憶する。これは、伝言の有無を示す情報や報知タイミングの設定に関する情報は、そのデータ量が小さいと考えられるためである。報知タイミングを設定すると、冷蔵庫１は、上記した図５に示す報知処理のステップＡ１のように、報知タイミングになれば報知動作を行う。この場合、伝言の有無は既に確認しているので、図５の報知処理では行っているステップＡ２およびＡ３の処理は省略することができる。
【００５１】
同様に、冷蔵庫１は、図１０に示すように、伝言の有無を確認し（Ｃ１）、宛先が「お母さん」であれば（Ｃ２：ＹＥＳ）、報知タイミングを『閉扉後』、すなわち、扉をしめた後に設定する（Ｃ３）。
このように、本実施形態の冷蔵庫１は、付帯情報に基づいて、報知タイミングを設定・変更している。これにより、適切なタイミングで伝言の有無を報知できるようになる。また、伝言の内容毎に報知タイミングを設定・変更することで、利便性も向上する。
【００５２】
また、伝言の有無および報知タイミングを自身で（つまり、冷蔵庫１にて）記憶しておくことで、即座に伝言の有無を報知できるようになる。例えば、伝言を『開扉前』に伝えたい場合、人を検知してから伝言の有無をサーバ１０４に問い合わせると、その通信に時間が掛かってしまい、伝言の有無を報知するときに既に扉が解放されてしまっている可能性も考えられる。そのため、伝言の有無については冷蔵庫１側で記憶しておくことで、迅速且つ適切なタイミングで報知することができるようになる。
【００５３】
勿論、冷蔵庫１は、「連絡」や「要返信」といった内容についても、その報知タイミングを個別に設定することができる。また、図９に示す内容に基づく処理と、図１０に示す宛先に基づく処理とを組み合わせ、「宛先」＋「内容」に応じて、それぞれ個別に報知タイミングを設定してもよい。すなわち、付帯情報に基づいているのであれば、付帯情報の組み合わせは任意である。
【００５４】
（その他の実施形態）
本発明は、上記した実施形態にて例示したものに限定されることなく、次のように変形又は拡張することができる。また、以下に示す変形例及び拡張例の一部または全部は、任意に組み合わせることができる。
【００５５】
表示端末２０は、図１２に示すように、冷蔵庫１から着脱可能な携帯端末装置６０を採用してもよい。この携帯端末装置６０は、端末側カメラ６１（人検知手段、通信手段を構成する）、端末側マイク６２（通信手段を構成する）、端末側スピーカ６３（報知手段を構成する）、端末側表示部６４（報知手段を構成する）、端末側制御部６５（人検知手段、報知手段を構成する）、端末側通信部６６（通信手段を構成する）などを備えている。この携帯端末装置６０は、常には、冷蔵庫１の右扉３ｂに着脱可能な状態で設けられているが、冷蔵庫１から取り外すこともできる。なお、携帯端末装置６０は、図示は省略するが、冷蔵庫１に取り付けられている状態では、例えばＢｌｕｅｔｏｏｔｈ（登録商標）などの近距離無線通信あるいはＵＳＢ規格などの有線通信などにより、冷蔵庫１との間で通信を行う近距離通信手段も備えている。
【００５６】
携帯端末装置６０は、例えばリビングや外出先などにおいてネットワーク１０２を介してサーバ１０４との間で通信を行い、伝言の有無の確認、および、伝言の再生を行うことができる。つまり、表示端末２０として、いわゆるタブレット型のパソコンやスマートフォンあるいは携帯電話などの携帯端末装置６０を採用することができる。勿論、携帯端末装置６０から伝言を残すこともできる。この場合、各実施形態のように冷蔵庫１に撮像カメラ２１やマイク２２等を設けるのではなく、端末側カメラ６１にて撮像し、端末側マイク６２にて音声を入力するような構成としてもよい。この場合、携帯端末装置６０が冷蔵庫１に取り付けられているときには冷蔵庫１から携帯端末装置６０へ充電可能とすれば、バッテリ切れのおそれを低減することができるとともに、充電の確認等をわざわざ行わなくてもよくなり、利便性が向上する。
【００５７】
各実施形態の冷蔵庫１では通信手段として無線通信方式を採用しているので無線アクセスポイント１０１を用いているが、有線方式の通信手段を採用しても勿論よい。
冷蔵庫１単体や端末装置１０３との間で伝言をやり取りする例を示したが、住宅１０５内でパソコンや住人が所有する装置との間で伝言をやり取りしてもよいし、ネットワーク１０２を介して接続されている他の住宅の冷蔵庫１との間で伝言をやり取りするようにしてもよい。
【００５８】
図５に示す報知処理において、ステップＡ３を省略してもよい。すなわち、伝言が無い場合であっても、伝言の有無を報知する報知動作を行うようにしてもよい。これは、冷蔵庫１が伝言を報知する機能を備えていることを使用者が知っている場合、報知動作が行われないと故障したと判断する可能性があるためである。この場合、図６の「お母さん」や「お兄ちゃん」のアイコンのように、全ての宛先をグレーアウトすることで、伝言が無いことを報知することができる。より好ましくは、伝言が無い場合に報知動作を行うか否かを設定可能とし、使用者が設定できる構成とするとよい。
【００５９】
人感センサ１７を例えば照度センサにて構成し、庫外の照度が予め定められている基準値を超えた場合に人が存在すると判定する等、間接的に人を検知する構成としてもよい。
伝言の対象となる人を識別可能な構成としてもよい。そして、対象となる人に応じて報知タイミングを設定してもよい。また、識別した人が対象となる人でない場合には、報知動作を行わないように構成してもよい。すなわち、付帯情報に基づく報知タイミングの設定は、任意に行えばよいし、どのように組み合わせてもよい。この場合、報知タイミングとして設定可能なタイミングは複数設けておき、使用者にどのタイミングを利用するかを選択可能とすると、利便性を一層向上させることができる。
【００６０】
付帯情報として時刻を採用してもよい。この場合、例えば朝食を作っている最中は伝言の有無を報知しないなど、時刻に応じて報知タイミングを設定する利用形態等をとることができ、さらに利便性が向上する。
各センサ等の位置や数あるいは取り付け方法など、各実施形態で例示したものに限定されない。例えば、撮像カメラ２１の向きを可変としたり、広角レンズを用いて設置されている部屋全体の広範囲を撮像可能としたり、複数の撮像カメラ２１を設けることなどが考えられる。
【００６１】
各実施形態では主制御部３０と制御部４０とを設けた例を示したが、いずれか一方を設け、各処理を一つの制御手段により実行する構成としてもよい。
各実施形態では無線アクセスポイント１０１を個別に設けたが、冷蔵庫１に無線アクセスポイント１０１を統合してもよい。常時給電されている冷蔵庫１にアクセスポイントとしての機能を持たせることにより、誤ってアクセスポイントの電源が切られるなどのおそれを回避することができる。つまり、冷蔵庫１に、家庭内ネットワークのアクセスポイントとしての機能を持たせてもよい。
【００６２】
また、上記した携帯端末装置６０を設けた場合には、携帯端末装置６０をアクセスポイントとして利用してもよい。この場合、冷蔵庫１に、宅内のルータやアクセスポイントなどを経由せず、ネットワーク１０２に直接接続することが可能な例えば３Ｇ通信機能のように携帯通信網に接続する機能や、いわゆる広域無線ＬＡＮ（ＷｉＭＡＸ（登録商標）など）に接続する機能などを持たせてもよい。すなわち、冷蔵庫1に設ける通信手段としては、各実施形態で示した無線アクセスポイント１０１との間の通信機能だけでなく、外部のネットワーク１０２と直接的に接続可能な通信機能をも含まれている。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
図面中、１は冷蔵庫、１６は操作パネル（人検知手段）、１７は人感センサ（人検知手段）、１８ａは左ドアタッチセンサ（人検知手段）、１８ｂは右ドアタッチセンサ（人検知手段）、２０は表示端末（報知手段、表示出力手段、通信手段）、２１は撮像カメラ（人検知手段）、２２はマイク（通信手段）、２３はスピーカ（報知手段、音声出力手段）、３０は主制御部（人検知手段）、３５ａは冷蔵室左扉センサ（人検知手段）、３５ｂは冷蔵室右扉センサ（人検知手段）、３６は野菜室扉センサ（人検知手段）、３７は製氷室扉センサ（人検知手段）、３８は上部冷凍室扉センサ（人検知手段）、３９は下部冷凍室扉センサ（人検知手段）、４０は制御部（報知手段、通信手段）、４５は表示部（報知手段、表示出力手段）、４７は通信部（通信手段）、６０は携帯端末装置（報知手段、表示出力手段、通信手段）、６１は端末側カメラ（人検知手段）、６２は端末側マイク（通信手段）、６３は端末側スピーカ（報知手段、音声出力手段）、６４は端末側表示部（報知手段、表示出力手段）、６５は端末側制御部（報知手段、通信手段）、６６は端末側通信部（通信手段）、１０４はサーバ（外部の装置）を示す。
【図１】
2014126328.tif 000003
【図２】
2014126328.tif 000004
【図３】
2014126328.tif 000005
【図４】
2014126328.tif 000006
【図５】
2014126328.tif 000007
【図６】
2014126328.tif 000008
【図７】
2014126328.tif 000009
【図８】
2014126328.tif 000010
【図９】
2014126328.tif 000011
【図１０】
2014126328.tif 000012
【図１１】
2014126328.tif 000013